(57)【要約】【課題】一定時間だけ作動するようにした安心モードスイッチが設置された電気暖房機器を提供する。【解決手段】電気ヒーターと、操作スイッチと、前記操作スイッチの操作による信号を受けて前記電気ヒーターを制御する制御機と、これらを結合して支持するスタンドとを有する電気暖房機器において、作動すれば前記電気ヒーターを一定の期間以下の期間だけ動作させるようにした安心モードスイッチと、設置面に平らにおいてある前記スタンドの上部面に操作ボタンが突設されるイージースイッチとをさらに備える。【選択図】　　　図３
0003097996.tif 000002
【実用新案登録請求の範囲】
【請求項１】
電気ヒーターと、操作スイッチと、前記操作スイッチの操作による信号を受けて前記電気ヒーターを制御する制御機と、これらを結合して支持するスタンドとを有する電気暖房機器において、
作動すれば前記電気ヒーターを一定の期間以下の期間だけ動作させるようにした安心モードスイッチをさらに備えたことを特徴とする電気暖房機器。
【請求項２】
前記安心モードスイッチを１回ＯＮにしておけば、１８０分程度まで前記電気ヒーターがＯＮを保持することを特徴とする請求項１記載の電気暖房機器。
【請求項３】
電気ヒーターと、操作スイッチと、前記操作スイッチの操作による信号を受けて前記電気ヒーターを制御する制御機と、これらを結合して支持するスタンドとを有する電気暖房機器において、
設置面に平らにおいてある前記スタンドの上部面に操作ボタンが突設されるイージースイッチをさらに備えたことを特徴とする電気暖房機器。
【請求項４】
前記イージースイッチを１回押すごとに前記電気ヒーターがＯＮまたはＯＦＦを繰り返すことを特徴とする請求項３記載の電気暖房機器。
【請求項５】
電気ヒーターと、操作スイッチと、前記操作スイッチの操作による信号を受けて前記電気ヒーターを制御する制御機と、これらを結合して支持するスタンドとを含む電気暖房機器において、
作動すれば前記電気ヒーターを一定の期間以下の期間だけ動作させるようにした安心モードスイッチと、
設置面に平らにおいてある前記スタンドの上部面に操作ボタンが突設されるイージースイッチとをさらに備えたことを特徴とする電気暖房機器。
【請求項６】
前記電気ヒーターは２つのハロゲンランプを使用し、
前記ハロゲンランプの放射光はハロゲンランプアセンブリの反射板及びフレームの反射板によって反射され、
前記ハロゲンランプアセンブリは支持体の一端部に結合され、前記支持体の他端部の外周には遠赤外線発生用セラミックス部材が結合されることを特徴とする請求項１乃至５のいずれかに記載の電気暖房機器。
【考案の詳細な説明】
【０００１】
【考案の属する技術分野】
本考案は電気暖房機器に係り、特に安心モードスイッチ及び／またはイージースイッチが設置された電機暖房機器に関する。
【０００２】
【従来の技術】
暖房機器としては、燃料油を燃焼させて熱を発生させる方式、ガスを燃焼させて熱を発生させる方式、電気熱線に電力を加えて熱を発生させる方式、電気ランプを点灯させるか電気ヒーターに電力を加えて放射熱を発生させる方式など実に多様な種類がある。
【０００３】
これら方式のうち電力を使って熱を発生させる方式は衛生的で且つ便利であるので、冬季補助暖房用として多く使われている。
【０００４】
燃料を燃消させる方式では、電気的に燃料ポンプの作動を制御する電気コントロールスイッチが使われる場合が多く、電気的なエネルギーを使う方式では、電力の制御のためにやはり電気コントロールスイッチが使われる。
【０００５】
図１は従来の反射型電熱暖房機器の一例を示す斜視図であり、図２は従来の電熱暖房機器の代表的な回路図である。反射型暖房機器の外形は図１に示すように、電気エネルギーを放射エネルギーに変換させる変換装置（主にランプまたは発熱線、ニクロム線を使う）１２が、放射エネルギーを一方向に送るための反射鏡１１の中央に設置され、変換装置１２と反射鏡１１とを支持するためのスタンド１３及び壁などに付着するための付着器具（図示せず）が結合され、電力を接続するための電気配線と電源コード（図示せず）及び、供給される電力を制御するためのコントロールスイッチが、スタンド１３に設置される。回路配線について説明すると、図２に図示する如く、変換器２２と、変換器２２に供給される電力を制御するためのコントロールスイッチ２４（ＣＳＷ）とが導線でつながれ、コントロールスイッチ２４はプラグ２５を介して電源に接続される。
【０００６】
このような従来の電熱機器は火事の危険があるので、機器には火事防止のための装置が設置されている。この火事防止装置には、暖房機器が正しく立って正常に動作する場合には電気回路に連結されるが、動作途中で倒れたり傾いたりして危険になる場合には電力の供給を遮断する火事防止スイッチが設置される。このスイッチは通常図２に示すコントロールスイッチ２４に含まれているが、別途設置して電源接続を遮断する構成を取ることも可能である。
【０００７】
しかし、今までの火事防止用スイッチの構成としては、暖房機器が傾いたり倒れたりすると動作を止める方式や、暖房機器から一定距離以内に物体があれば過熱による発火の恐れがあるため、動作を停止させる方式などが採用されている。
【０００８】
【考案が解決しようとする課題】
そこで、ユーザが暖房機器を使っている途中しばらく席をはずしているときや、暖房機器の消し忘れで動作状態のまま放置してしまうときなどには、暖房機器の継続的な動作による熱気で周辺が過熱されて火事につながるケースが発生する恐れがあり、しかもエネルギーの無駄使いになる。また、タイマー付き暖房機器は、タイマーでの時間設定が必ずしも容易ではなく、機器をＯＮにする度にタイマーを操作することも煩わしかった。
【０００９】
さらに、従来の電気ヒーターはスタンドに設置されたＯＮ・ＯＦＦスイッチ、タイマースイッチ、または回転スイッチなどをいちいち手で操作するように設計されているので、たまに足で操作しようとしても思うとおりに動かせない。仮に操作できたとしても他のスイッチをも押してしまい、故障してしまうケースが多い。
【００１０】
加えて、従来の電気ヒーターは、高電力または低電力を採用して動作させる場合、ハロゲンランプを低電圧で動作させるので、遠赤外線発生及び放射エネルギーの效率が低いという短所がある。
【００１１】
本考案はかかる従来の暖房機器が解決できない、見逃していた危険要素と不便事項とを改善するためになされたものである。
【００１２】
本考案の目的は、一定時間だけ作動するようにした安心モードスイッチが設置された電気暖房機器を提供することにある。
【００１３】
本考案の他の目的は、足で作動可能なイージースイッチをスタンドに設置した電気暖房機器を提供することにある。
【００１４】
【課題を解決するための手段】
上記目的を達成するために、本考案は、電気ヒーターと、操作スイッチと、操作スイッチの操作による信号を受けて電気ヒーターを制御する制御機と、これらを結合して支持するスタンドとを有する電気暖房機器において、作動すれば前記電気ヒーターを一定の期間以下の期間だけ動作させるようにした安心モードスイッチ及び／または設置面に平らにおいてある前記スタンドの上部面に操作ボタンが突設されるイージースイッチをさらに備えることを特徴とする。
【００１５】
【考案の実施の形態】
以下、図３〜図５を参照しつつ本考案の具体的な実施例を詳細に説明する。
【００１６】
本考案の電気暖房機器は、電気ヒーター６３、６４と、反射板と、回転動力を作るモーター６５とが設置された頭部３０と；複数の操作スイッチと、複数の操作スイッチの操作による信号を受けて電気ヒーターを制御する制御機とが設置された首部４０と；頭部３０と首部４０とを安定的に支えている座板５０；とを有する。
【００１７】
首部４０には電源ＯＮ／ＯＦＦスイッチ７１、電気ヒーターの強弱を調節する強／弱スイッチ７０、タイマー設定スイッチ６９、回転選択スイッチ６８、安心モードスイッチ６７などが設置される。また、首部４０には各操作スイッチが発生する信号を受けて電気ヒーター６３、６４及びモーター６５を制御する制御機６０が設置される。制御機６０は印刷回路基板からなり、電気入力導線にヒューズ７２が直列に装着される。安心モードスイッチ６７は一般的なＯＮ／ＯＦＦスイッチを使えば良い。
【００１８】
座板５０には電気コード６１が結合され、座板５０の下部には、座板５０が傾いたり倒れたりする場合に電気コード６１から入力される電力を遮断する安全スイッチ６２が設置され、座板５０の上部には、足で容易に操作できるようにしたイージースイッチ６６が設置される。
【００１９】
イージースイッチ６６は足で踏まれてもスイッチの構造が変わらない程度の強度を持つ構造になっており、踏まれると制御機６０に信号を送るプッシュボタン方式のスイッチを使えば良い。
【００２０】
頭部３０には、反射鏡３４の中央部に電気ヒーター３２が設置され、その前に安全網３６が設置される。電気ヒーター３２としては一般的なニクロム線ヒーター、またはハロゲンランプを使えば良い。
【００２１】
タイマースイッチは１０分、３０分、６０分、１２０分など任意にタイマー時間を設定できるようにし、この時間をスライドボタンで設定するとさらに便利になる。
【００２２】
頭部３０では、図６及び図７に示すように、ランプアセンブリが支持体２１０に結合される。
【００２３】
支持体２１０の前面にはランプアセンブリが結合される。ランプアセンブリは反射板２３０にハロゲンランプ２４０がクランプ２３４で結合されたものである。ハロゲンランプ２４０を２つ設置して、高熱量を発生させる場合は２つのランプを一緒に点灯し、低熱量を発生させる場合は１つのランプだけを点灯する。これにより、低熱量を発生させる場合にも遠赤外線を良い周波数帯で発生させることができて、熱效率が向上させることができる。
【００２４】
ハロゲンランプ２４０に電力を供給するための電気配線２４１は、支持体の側面に形成された導線通路を通して首部４０の制御機６０に連結される。
【００２５】
本考案で用いられるランプアセンブリには２つのハロゲンランプ２４０を使用することが便利である。そこで、暖房機器を高熱で動作させるときは２つのランプを一緒に使用するが、低熱で動作させるときは１つだけを使用する。
【００２６】
支持体２１０は前端が、セラミックス部材２５０に形成された溝に挿入され、その外周に沿って多数の結合突起が形成される。ランプアセンブリは、中央部にボルト２７５で締結される通孔が形成され、その外周に前記結合突起が挿入される多数の組立孔が形成される。よって、ボルト２７５とナット２７６で反射板２２０と結合されるとき、支持体の結合突起が反射板２３０の組立孔に挿入結合され、反射板の滑りを防止する。
【００２７】
支持体２１０の外周には、遠赤外線の放出を増大させる目的で最大限表面積を広くするために外表面に多数の長溝２５１が形成されたセラミックス部材２５０が設置される。
【００２８】
セラミックス部材２５０には前後端を貫通している多数の長孔２５２が形成され、反射板２２０には長孔２５２と同一軸上に位置するナット孔が形成され、これによりセラミックス部材２５０が反射板２２０の中央部にボルト２７０で締結される。
【００２９】
ハロゲンランプ２４０に電源が印加されると、ハロゲンランプ２４０から遠赤外線及び放射エネルギーが発生し、このような遠赤外線及び放射エネルギーは反射板２２０によって反射して室内に放出することになる。一方、ハロゲンランプ２４０から発生した遠赤外線によって、反射板２２０の中央部に固定設置されたセラミックス部材２５０も加熱され、セラミックス部材２５０からも多量の遠赤外線が発生して室内に放出される。
【００３０】
セラミックス部材２５０は台形の断面を持ち、同時に外表面に多数の長溝２５１を形成して表面積を最大限広くすることにより、遠赤外線放出量を増大させるようになっている。
【００３１】
ランプアセンブリの反射板２３０はランプを支持すると共にランプの放射光を反射する役割をも果たすので、ハロゲンランプ２４０から照射される強い光を反射板２２０の表面から反射させて反射板２２０の熱効率を向上させる。
【００３２】
反射板２２０はフレーム２２１に結合され、安全網２６０はフレーム２２１に結合手段２６１によって結合される。
【００３３】
ランプアセンブリのハロゲンランプ２４０を反射板２２０の中央部に位置するように取り付けることにより、ハロゲンランプ２４０から照射される光が均一に発散され、熱効率を高めることができる。
【００３４】
このように構成された本考案の動作は次の通りである。
【００３５】
暖房機器のユーザは電源ＯＮ／ＯＦＦスイッチ７１を操作して暖房機器を作動させる。
【００３６】
タイマー設定スイッチ６９を調節してヒーターを必要時間分だけＯＮにし、、強／弱スイッチ７０を操作して電気ヒーターの強弱を調節し、回転を必要とすると回転選択スイッチ６８をＯＮにし、安心モードスイッチ６７をＯＮにする。安心モードスイッチ６７は１回ＯＮにしておけば、電源をＯＦＦしてもＯＮ状態を続けて保持するようになっており、次回に電源をＯＮにすると、また安心モードで動作するようになっている。
【００３７】
安心モードスイッチ６７をＯＮにして安心モードにすると、１８０分程度まで連続的にヒーターが動作することが好ましい。もちろん、１８０分になる前にもタイマーがＯＦＦされるか、電源ＯＮ／ＯＦＦスイッチ７１をＯＦＦにするか、またはイージースイッチ６６で電源をＯＦＦにすると、電源が遮断される。その後、次回に暖房機器が再びＯＮになると、また安心モードになり、ヒーターが約１８０分程度だけ動作するようになる。安心モードを不要とする場合は、ＯＦＦしておけば何時間も連続して動作することができる。
【００３８】
動作中の暖房機器をＯＦＦするためには、電源ＯＮ／ＯＦＦスイッチ７１をＯＦＦするか、イージースイッチ６６を足で１回踏み込んで電源をＯＦＦする。
【００３９】
電源ＯＮ／ＯＦＦスイッチ７１がＯＮ状態になっていると、イージースイッチ６６で電源をＯＮ／ＯＦＦすることができる。
【００４０】
そこで、電源ＯＮ／ＯＦＦスイッチ７１がＯＮ状態になっているときにイージースイッチ６６でＯＦＦにしたならば、次回は足でイージースイッチを１回踏み込んで電源をＯＮにする。
【００４１】
また次々回はイージースイッチ６６を足で１回踏み込んで電源をＯＦＦさせる。
【００４２】
【考案の効果】
本考案の電気暖房機器は安心モードで動作させると、一定の時間がたってからは電源が強制遮断され、火事を未然に防止することができ、また、足で電源をＯＮ／ＯＦＦすることができるので、使用に便利である。
【００４３】
ランプアセンブリーの構造を簡単にして、支持体に容易に組み立てることができ、しかも２つのハロゲンランプを構成することにより、低電力で動作させる場合にも熱效率の低下を防止することでき、さらに使用上の便利性を高めることができる。
【図面の簡単な説明】
【図１】従来の反射型電熱器具の斜視図である。
【図２】従来の電熱器具の代表的な回路図である。
【図３】本考案の一実施例に係る電気暖房器具の回路図である。
【図４】本考案の一実施例に係る電気暖房器具の斜視図である。
【図５】本考案の一実施例に係る電気暖房器具の正面図である。
【図６】本考案の一実施例に係る電気暖房器具の頭部の断面図である。
【図７】本考案の一実施例に係る電気暖房器具の頭部の断面図である。
【符号の説明】
６３，６４：電気ヒーター
６６：イージースイッチ
６７：安心モードスイッチ
【図１】
0003097996.tif 000003
【図２】
0003097996.tif 000004
【図３】
0003097996.tif 000005
【図４】
0003097996.tif 000006
【図５】
0003097996.tif 000007
【図６】
0003097996.tif 000008
【図７】
0003097996.tif 000009